(57)【要約】【課題】無線タグ回路素子からプロフィールデータを読み取ることにより、複数の人物同士の人脈や交友関係のネットワークを表す人物相関を形成し記憶させる。【解決手段】人物に関連づけられた無線タグ回路素子Ｔoとの間で、無線通信により情報の送受信を行うための内部アンテナ１４、外部アンテナ９、及び高周波回路２１を有し、ステップＳ２０５で無線タグ回路素子Ｔoに記憶された対応する人物に係わるプロフィールデータ（ユーザＩＤ）を取得し、ステップＳ２１０でこの取得された複数の人物のプロフィールデータを関連づけて人物相関を形成し、ステップＳ２２５でこの形成された人物相関を、書き込みと読み出しが可能なデータベースへ書き込む。【選択図】図１６
2008033832.tif 000002
【特許請求の範囲】
【請求項１】
人物を撮影する撮影手段と、
前記撮影手段で撮影した前記人物の画像を形成した画像シールを作成するための画像形成手段と、
前記人物に関連づけられて前記画像シールに設けられ、情報を記憶するＩＣ回路部とこのＩＣ回路部に接続されたアンテナとを備えた無線タグ回路素子との間で、無線通信により情報の送受信を行うための送受信手段と、
前記無線タグ回路素子に記憶された、対応する前記人物に係わる人物情報を、前記送受信手段を介し取得する情報取得手段と、
この情報取得手段により取得された複数の人物の前記人物情報を関連づけて人物相関を形成する相関形成手段と、
この相関形成処理手段で形成された前記人物相関を、書き込みと読み出しが可能な記憶手段へ書き込む記憶処理手段と
を有することを特徴とする無線タグ情報読み取り装置。
【請求項２】
請求項１記載の無線タグ情報読み取り装置において、
前記相関形成手段は、
前記情報取得手段を介し前記複数の人物の人物情報が互いに所定の空間範囲内でかつ、時間範囲内に取得された場合に、それら複数の人物の前記人物相関を形成することを特徴とする無線タグ情報読み取り装置。
【請求項３】
請求項２記載の無線タグ情報読み取り装置において、
前記相関形成手段は、
前記情報取得手段を介し前記複数の人物の人物情報が前記所定の空間範囲内でかつ、時間範囲内に新たに取得された場合、既にそれら複数の人物それぞれに関し形成された過去の前記人物相関に加えて、当該複数の人物同士の前記人物相関を形成する
ことを特徴とする無線タグ情報読み取り装置。
【請求項４】
請求項３記載の無線タグ情報読み取り装置において、
前記相関形成手段により前記複数の人物同士の前記人物相関が新たに形成された場合、当該複数の人物のいずれかに対し既に形成された少なくとも１つの過去の人物相関の連結体を介し関連づけられる被関連人物に、前記新たに形成された人物相関を報知するための相関報知情報を生成する報知情報生成手段を有することを特徴とする無線タグ情報読み取り装置。
【請求項５】
請求項４記載の無線タグ情報読み取り装置において、
前記報知情報生成手段は、
前記被関連人物を関連づけるための前記連結体を形成する前記人物相関の数に応じて、前記相関報知情報を生成することを特徴とする無線タグ情報読み取り装置。
【請求項６】
請求項１乃至５のいずれか１項記載の無線タグ情報読み取り装置において、
前記情報取得手段を介し前記複数の人物の人物情報が繰り返し取得された場合、その頻度に応じて、前記相関形成手段で形成された当該複数の人物同士の前記人物相関に重み付け情報を付加する重み付け付加手段
を有することを特徴とする無線タグ情報読み取り装置。
【請求項７】
請求項６記載の無線タグ情報読み取り装置において、
前記重み付け付加手段で付加された前記重み付け情報を、所定時間間隔ごとに、更新処理する更新処理手段
を有することを特徴とする無線タグ情報読み取り装置。
【請求項８】
請求項１乃至７のいずれか１項記載の無線タグ情報読み取り装置において、
前記送受信手段を介し、相関変更用に設けた無線タグ回路素子と前記情報送受信が行われた場合、前記相関形成手段で形成された前記人物相関を変更処理可能な変更処理手段
を有することを特徴とする無線タグ情報読み取り装置。
【請求項９】
請求項１乃至８のいずれか１項記載の無線タグ情報読み取り装置において、
既に形成されている前記人物相関を表示するための表示信号を生成する表示信号生成手段
を有することを特徴とする無線タグ情報読み取り装置。
【請求項１０】
請求項１乃至９のいずれか１項記載の無線タグ情報読み取り装置において、
処理対象人物と前記人物相関を介し関連づけられる人物の数に応じて、当該処理対象人物にサービス提供情報を付加するサービス付加手段
を有することを特徴とする無線タグ情報読み取り装置。
【発明の詳細な説明】
【技術分野】
【０００１】
本発明は、外部と情報送受可能な無線タグ回路素子より情報の読み取りを行う無線タグ情報読み取り装置に関するものである。
【背景技術】
【０００２】
従来、例えばゲームセンター、ボウリング場、遊園地等の娯楽施設等において、操作者の写真を撮影し、その画像を背景画像や落書き等と合成して画像シールを作成する画像シール作成装置が既に知られており、広く利用されている（例えば、特許文献１参照）。
【０００３】
この画像シール作成装置は特に女子学生等に人気があるが、複数の友人に自己の画像を備えた画像シールを配布したり、友人同士でお互いの画像シールを交換したりして、多数の友人の画像シールを所持しているのが通常である。そして、各シールに対応した友人の名前や間柄などの個人情報（個人属性情報）等を、画像シールの表や裏に書き込んだり、画像シールを貼り付けた領域のその脇に個人属性情報等を記載したりして区別し、自ら便宜を図っている。
【０００４】
【特許文献１】特開２００５−２１７８８１号公報
【発明の開示】
【発明が解決しようとする課題】
【０００５】
一方、小型の無線タグとリーダ（読み取り装置）／ライタ（書き込み装置）との間で非接触で情報の読み取り／書き込みを行うＲＦＩＤ（Radio  Frequency  Identification）システムが知られている。無線タグは、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能である。そして、物品管理や検査工程等の様々な分野において既に実用化が進められており、近年は、個人属性情報の保持記憶や守秘についても実用化が検討されている。
【０００６】
したがって、前述の画像シールに対し上記無線タグ回路素子を設けて情報の送受を行うようにすれば、上記のように画像シールは多くの友人間に広く行き渡るものであるため、複数の人物同士の人脈や交友関係のネットワークを表す人物相関を情報として取得することができ、これを活用して種々の情報処理・サービス提供等を行うことができて非常に便利である。しかしながら、このような点に配慮された技術は従来存在しなかった。
【０００７】
本発明の目的は、複数の人物同士の人脈や交友関係のネットワークを表す人物相関を用いて種々の情報処理・サービス提供等を行い、利便性を向上できる無線タグ情報読み取り装置を提供することにある。
【課題を解決するための手段】
【０００８】
上記目的を達成するために、第１の発明は、人物を撮影する撮影手段と、前記撮影手段で撮影した前記人物の画像を形成した画像シールを作成するための画像形成手段と、前記人物に関連づけられて前記画像シールに設けられ、情報を記憶するＩＣ回路部とこのＩＣ回路部に接続されたアンテナとを備えた無線タグ回路素子との間で、無線通信により情報の送受信を行うための送受信手段と、前記無線タグ回路素子に記憶された、対応する前記人物に係わる人物情報を、前記送受信手段を介し取得する情報取得手段と、この情報取得手段により取得された複数の人物の前記人物情報を関連づけて人物相関を形成する相関形成手段と、この相関形成処理手段で形成された前記人物相関を、書き込みと読み出しが可能な記憶手段へ書き込む記憶処理手段とを有することを特徴とする。
【０００９】
本願第１発明においては、複数の人物がそれぞれ所持する画像シールを提示することで、対応する人物情報が各画像シールの無線タグ回路素子から送受信手段を介し情報取得手段で取得され、相関形成手段でそれら複数の人物の人物情報を関連づけた人物相関が形成され、その人物相関が記憶処理手段で記憶手段へと書き込まれる。このように、複数の人物同士の人脈や交友関係のネットワークを表す人物相関を形成し記憶させることにより、当該人物相関を用いた種々の情報処理・サービス提供等の活用の可能性が広がるので、装置利用者側・装置設置者側双方にとって利便性を向上することができる。
【００１０】
第２発明は、上記第１発明において、前記相関形成手段は、前記情報取得手段を介し前記複数の人物の人物情報が互いに所定の空間範囲内でかつ、時間範囲内に取得された場合に、それら複数の人物の前記人物相関を形成することを特徴とする。
【００１１】
これにより、複数の人物情報の取得タイミングが所定空間範囲かつ時間範囲内であることを契機として、人物相関を形成することができる。
【００１２】
第３発明は、上記第２発明において、前記相関形成手段は、前記情報取得手段を介し前記複数の人物の人物情報が前記所定の空間範囲かつ時間範囲内に新たに取得された場合、既にそれら複数の人物それぞれに関し形成された過去の前記人物相関に加えて、当該複数の人物同士の前記人物相関を形成することを特徴とする。
【００１３】
これにより、既に形成された人物相関に加える形で、新しい人物相関を形成することができるので、多人数の各人物同士の人脈や交友関係の情報をネットワーク化して蓄積することができる。
【００１４】
第４発明は、上記第３発明において、前記相関形成手段により前記複数の人物同士の前記人物相関が新たに形成された場合、当該複数の人物のいずれかに対し既に形成された少なくとも１つの過去の人物相関の連結体を介し関連づけられる被関連人物に、前記新たに形成された人物相関を報知するための相関報知情報を生成する報知情報生成手段を有することを特徴とする。
【００１５】
これにより既存の人脈や交友関係のネットワークに新たに新規な人物が加わったことを、当該ネットワークの構成員に知らせることができる。また、例えばメール等による自動報知も可能となる。
【００１６】
第５発明は、上記第４発明において、前記報知情報生成手段は、前記被関連人物を関連づけるための前記連結体を形成する前記人物相関の数に応じて、前記相関報知情報を生成することを特徴とする。
【００１７】
これにより、既存の人脈や交友関係のネットワークに新たに新規な人物が加わったとき、当該新規な人物に対し比較的関連付けが近い（又は関連付けが深い）間柄の被関連人物にのみ報知を行う等が可能となる。また逆に、被関連人物側から、関連づけが遠い（又は関連づけが浅い）間柄の新規な人物の加入については報知をしないようにする（あるいは報知を拒否する拒否モード等を設ける）ことも可能となる。
【００１８】
第６発明は、上記第１乃至５のいずれか１項発明において、前記情報取得手段を介し前記複数の人物の人物情報が繰り返し取得された場合、その頻度に応じて、前記相関形成手段で形成された当該複数の人物同士の前記人物相関に重み付け情報を付加する重み付け付加手段を有することを特徴とする。
【００１９】
頻度に応じた重み付け付加を行うことにより、その重み付け情報を利用して、例えば表示手段の表示において頻度が高い場合には表示線を太くし頻度が低い場合には表示線をだんだん細くし最後は消滅させる等の処理を行ったり、あるいは頻度に応じて各種サービスや情報提供の内容・程度に差をつける等、きめ細かい利用が可能となる。
【００２０】
第７発明は、上記第６発明において、前記重み付け付加手段で付加された前記重み付け情報を、所定時間間隔ごとに、更新処理する更新処理手段を有することを特徴とする。
【００２１】
所定時間間隔毎に更新処理手段で更新処理することにより、頻度に応じた重み付け処理を精度よく確実に行うことが可能となる。
【００２２】
第８発明は、上記第１乃至７のいずれか１項発明において、前記送受信手段を介し、相関変更用に設けた無線タグ回路素子と前記情報送受信が行われた場合、前記相関形成手段で形成された前記人物相関を変更処理可能な変更処理手段を有することを特徴とする。
【００２３】
これにより、何らかの事情で一旦形成された人物相関を変更（消滅を含む）させたい場合に、相関変更用無線タグ回路素子を提示し送受信手段を介して情報送受信を行わせることで、当該相関の変更を実行することができる。
【００２４】
第９発明は、上記第１乃至８のいずれか１項発明において、既に形成されている前記人物相関を表示するための表示信号を生成する表示信号生成手段を有することを特徴とする。
【００２５】
これにより、既に形作られた人脈や交友関係のネットワークを表示手段で表示し、利用者に視覚的に認識させることが可能となる。
【００２６】
第１０発明は、上記第１乃至９のいずれか１項発明において、処理対象人物と前記人物相関を介し関連づけられる人物の数に応じて、当該処理対象人物にサービス提供情報を付加するサービス付加手段を有することを特徴とする。
【００２７】
これにより、例えば人脈や交友関係が広く（豊富で）、関連づけられる人数の多い人物ほど、割引等所定のサービスを受けることができるようにすることが可能となる。
【発明の効果】
【００２８】
本発明によれば、複数の人物同士の人脈や交友関係のネットワークを表す人物相関を用いて種々の情報処理・サービス提供等を行い、利便性を向上することができる。
【発明を実施するための最良の形態】
【００２９】
以下、本発明の一実施の形態を図面を参照しつつ説明する。
【００３０】
図１は、本実施形態の無線タグ情報読み取り装置が適用される画像シール体販売機の外観を表す斜視図である。
【００３１】
この画像シール体販売機（無線タグ情報読み取り装置）１は、例えばゲームセンター、ボウリング場、遊園地等の遊戯施設や、映画館、デパート、ホテル、駅、待合室、ショッピングセンターなどの集客施設・公共施設等に設置されるものであり、複数人（一人のみの場合も可能）の操作者が自分たちを被写体とした写真を複数の画像シールとして購入するものである。具体的には、上記操作者が、例えば友人・知人と共に当該販売機に備えられたカメラユニットで自分たちを撮影し、それにより取り込まれた画像データが操作者によって任意に加工・編集された後、一体に形成された複数枚のシール本体にそれぞれ上記画像データの画像が印刷されて複数の画像シールを備えた画像シール体が作成される。
【００３２】
そして、本実施形態において利用する画像シール体には、各画像シールに無線タグ回路素子Ｔoが備えられており（以下、この画像シールをタグ付き画像シールという）、画像シール体販売機はそれら各無線タグ回路素子Ｔoに操作者に関する情報（この例ではプロフィールデータ等の人物情報）を記憶させて画像シール体を作成するものである。
【００３３】
図１において、画像シール体販売機１は、概略的に、通常の人の身長より少し高い装置本体２と、この装置本体２に対向するよう配置された背景壁部３と、装置本体２と背景壁部３のそれぞれの上端を渡すように設けられた天板部４とを備えている。また背景壁部３の側面には、天板部４の側部に設けたレール５に沿って引き出すことで装置本体２と背景壁部３との間の空間を覆うことのできるカーテン６が設けられている。このカーテン６を引き出すことで、装置本体２と背景壁部３との間の空間が外部の空間から簡易的に仕切られ、被写体人物（操作者）が撮影を行う略密室の撮影空間が形成される。
【００３４】
装置本体２は、撮影空間側の側面に、被写体人物を撮影するためのカメラユニット（撮影手段）７と、操作者と装置本体２との間で各種の指示や情報を入出力するためのコンソール部（詳しくは後述する）８と、個々のタグ付き画像シールに設けられた上記無線タグ回路素子Ｔoとの間で無線通信により情報の読み出し及び書き込みが可能な外部アンテナ（送受信手段）９と、作成した画像シール体を排出して操作者が取り出すための取り出し口１０とが設けられている。なお、硬貨（紙幣）投入口などの販売のための部位については図示説明を省略又は簡略化する。
【００３５】
図２は、上記装置本体２の詳細構造を表す概念的構成図である。なお、図示の煩雑を避けるためにカメラユニット７、コンソール部８及び外部アンテナ９を筐体の上方に位置させて示している。
【００３６】
図２において、装置本体２は外郭を構成する筐体１１を有しており、この筐体１１の内部には、凹所としてのカートリッジホルダ部（収納体着脱手段、ロールカートリッジホルダ；図示せず）が設けられ、このカートリッジホルダ部に、カートリッジ（タグ媒体収納体、ロールカートリッジ）１００が着脱可能に取り付けられている。また装置本体２は、シール基材テープ（タグ媒体、タグテープ）１０１に所定の印刷を行う印刷ヘッド（画像形成手段；この例ではインクジェットヘッド）１２と、シール基材テープ１０１をカートリッジ１００から繰り出すためのテープ送りローラ駆動軸１３（搬送手段）と、シール基材テープ１０１に備えられる無線タグ回路素子Ｔo（詳細は後述）との間で、ＵＨＦ帯、マイクロ波、短波帯等適宜の周波数帯域の電波を用いて（あるいはループアンテナ等を用いる電磁結合方式や電磁誘導方式でも良い）無線通信により信号の送受を行う内部アンテナ（送受信手段）１４と、後述するように作成後のタグ付き画像シールに備えられている無線タグ回路素子Ｔoとの間で上記内部アンテナ１４と同等の無線通信による信号の送受を行う上記外部アンテナ９と、上記コンソール部８を構成するパネル部８ａ及びキーボード８ｂと、照明装置（特に図示せず）及びデジタルカメラからなる上記カメラユニット７と、上記シール基材テープ１０１を所定のタイミングで所定の長さに切断し所定枚数のタグ付き画像シール（及びブランクシール；後述）を直列に備えるテープ状の画像シール体を生成するカッタ（分断手段）１５と、装置本体２内部での無線通信による信号送受時において無線タグ回路素子Ｔoを内部アンテナ１４に対向する位置に保持するとともに、切断後の画像シール体を案内するための一対の搬送ガイド１９と、その案内された画像シール体を上記取り出し口１０に連通する搬出口１６へと搬送し送出する送出ローラ１７と、搬出口１６における画像シール体の有無を検出する排出センサ１８とを有している。
【００３７】
一方、装置本体２はまた、上記内部アンテナ１４を介し上記シール基材テープ１０１に備えられる無線タグ回路素子Ｔoへアクセスする（読み取り又は書き込みを行う）とともに上記外部アンテナ９を介し上記作成後のタグ付き画像シールに備えられる無線タグ回路素子Ｔoへアクセスする（読み取り又は書き込みを行う）ための高周波回路（送受信手段）２１と、この高周波回路２１を上記内部アンテナ１４又は上記外部アンテナ９のいずれか一方に接続するよう配線を切り換える切り換えスイッチ２０と、無線タグ回路素子Ｔoから読み出された信号を処理するための信号処理回路２２と、テープ送りローラ駆動軸１３を駆動するカートリッジ用モータ２３と、このカートリッジ用モータ２３の駆動を制御するカートリッジ駆動回路２４と、上記印刷ヘッド１２への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、装置本体外部に設けた通信ネットワークを介して情報の送受信を行うネットワーク通信制御部３２と、上記カメラユニット７、パネル部８ａ、キーボード８ｂ、高周波回路２１、切り換えスイッチ２０、信号処理回路２２、カートリッジ駆動回路２４、印刷駆動回路２５、ソレノイド駆動回路２７、送出ローラ駆動回路２９、ネットワーク通信制御部３２等を介し、装置本体２全体の動作を制御するための制御回路３０とを有する。
【００３８】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。
【００３９】
また、コンソール部８を構成するパネル部８ａについて具体的には、例えば表示装置としてのＬＣＤパネル部分とこのＬＣＤパネル部分の表示を透過しつつ座標入力装置として機能するタッチパネル部分とが一体に形成されたものであり、またこのパネル部８ａのタッチパネル部分の表面に対して一点で当接することで平面座標を入力可能なタッチペン３１も備えている。また同様にコンソール部８を構成するキーボード８ｂは、操作者が装置本体２に対して各種の指示を行ったり、また後述するプロフィールデータなどを文字情報として入力するためのものである。
【００４０】
内部アンテナ１４は、この例ではダイポールアンテナで構成されており、対向する上記搬送ガイド１９全体を収容する空間の内部アクセスエリアＡｉの範囲に対して無線通信できるようになっている。また、外部アンテナ９は、この例では平面アンテナで構成されており、装置本体２の筐体１１の前方側（操作者側、すなわち図１における左手前側）に向けた所定の空間の外部アクセスエリアＡｅの範囲に対して無線通信できるようになっている。例えば内部アクセスエリアＡｉは筐体１１内部において形成されるものであり、外部アクセスエリアＡｅは筐体１１外部において形成されるものであって、両エリアは互いに重複せずに混信しない配置で形成されるようになっている。
【００４１】
ネットワーク通信制御部３２はインターネットなどの適宜の通信ネットワークＮＷを介して外部（装置１内に設けても良い）に設けたデータベース（記憶手段；図中ではＤＢと省略）５０と情報信号を授受可能に接続している。
【００４２】
このデータベース５０は、例えばハードディスク装置などの大容量記憶装置で構成されており、各タグ付き画像シールＳｉの無線タグ回路素子Ｔoが記憶するタグＩＤと関連付けて人物情報であるプロフィールデータとそれらの人物相関を記憶している（詳しくは後述する）。
【００４３】
なお、上記カッタ１５は、上記印刷ヘッド１２の印刷開始点からテープ搬送方向下流側に距離Ｌａだけ離間した配置に設置されている。
【００４４】
図３は、上記カートリッジ１００の詳細構造を説明するための説明図である。
【００４５】
この図３において、カートリッジ１００は、筐体１００Ａと、この筐体１００Ａ内に配置され帯状の上記シール基材テープ１０１が巻回されたシール基材ロール（タグテープロール）１０２と、このシール基材ロール１０２から繰り出されたシール基材テープ１０１の搬送方向を誘導するガイドローラ１０３と、この繰り出されたシール基材テープ１０１を押圧しつつ矢印Ａで示す方向にテープ送りをするテープ送りローラ１０７とを有する。
【００４６】
シール基材ロール１０２は、リール部材１０２ａの周りに、長手方向に複数の無線タグ回路素子Ｔoが所定の等間隔で順次形成（５つ毎にブランクあり。詳しくは後述する）された上記シール基材テープ１０１を巻回している。
【００４７】
シール基材テープ１０１はこの例では３層構造となっており（図３中部分拡大図参照）、外側に巻かれる側（図３中右側）よりその反対側（図３中左側）へ向かって、（例えば表面に対し適宜の受像処理を施した紙から成る）プリント台紙層１０１ａ、適宜の粘着材からなる粘着層１０１ｂ、剥離紙１０１ｃの順序で積層され構成されている。
【００４８】
プリント台紙１０１ａの裏側（図３中左側）には、情報の送受信を行うアンテナ（タグ側アンテナ）１５２がこの例では一体的に設けられており、これに接続するように情報を更新可能に（書き換え可能rewritableに）記憶するＩＣ回路部１５１が形成され、これらによって無線タグ回路素子Ｔoが構成されている。
【００４９】
プリント台紙１０１ａの裏側（図３中左側）には、無線タグ回路素子Ｔoを内包するように設けた上記粘着層１０１ｂによって上記剥離紙１０１ｃがプリント台紙１０１ａに接着されている。そしてシール基材テープ１０１の長手方向において、隣り合う無線タグ回路素子Ｔoどうしの中間位置には上記プリント台紙１０１ａと上記粘着層１０１ｂだけが切断されたハーフカット状態となって剥離紙１０１ｃだけでつながっている。これらのハーフカット部分（以下、ハーフカット線Ｌｈという）で区切られた区間のプリント台紙１０１ａと粘着層１０１ｂが、上記無線タグ回路素子Ｔoを一つ備える単体のタグ付き画像シールのシール本体１０４を構成しており、これら各シール本体１０４は最終的に剥離紙１０１ｃから容易に剥離されて粘着層１０１ｂにより他の物品等に貼付できるようにしたものである。なお、本実施形態ではカッタ１５により切断可能であることから、上記ハーフカット線Ｌｈは必ずしも必要ない。またカッタ１５がない場合であっても、必ずしもハーフカット線Ｌｈは必要でなく、この場合には操作者が自らハサミ等によりこのハーフカット線Ｌｈに相当する部位で分断するようにすれば足りる。
【００５０】
テープ送りローラ１０７は、カートリッジ１００外に設けた例えばパルスモータである上記カートリッジ用モータ２３（前述の図２参照）の駆動力が上記テープ送りローラ駆動軸１３に伝達されることによって回転駆動される。
【００５１】
上記構成のカートリッジ１００において、上記シール基材ロール１０２より繰り出されたシール基材テープ１０１は、テープ送りローラ１０７へと供給される。そして、カートリッジ１００が上記装置本体２のカートリッジホルダ部に装着されロールホルダ（図示せず）が離反位置から当接位置に移動されると、シール基材テープ１０１がテープ送りローラ１０７とサブローラ１０９との間に狭持される。
【００５２】
そして、カートリッジ用モータ２３の駆動力によってテープ送りローラ１０７が矢印Ｂで示す方向に回転駆動される。このとき、シール基材ロール１０２からシール基材テープ１０１が繰り出され、上述のようにテープ送りローラ１０７へ供給される。一方、上記印刷駆動回路２５により印刷ヘッド１２が駆動される。この結果、シール本体１０４の表面に操作者画像（後述の図６参照）が印刷される。そして、印刷が終了した上記シール基材テープ１０１が上記テープ送りローラ１０７及びサブローラ１０９によりカートリッジ１００外へと搬出される。また、ガイドローラ１０３が設けられていることで、シール基材ロール１０２の残量により外径Ｄｒが変化しても装置側の内部アンテナ１４とシール本体１０４の位置関係が所定の範囲となるように規制して、無線タグ回路素子Ｔoとの通信条件を一定に保つようになっている。
【００５３】
なお、詳細な説明及び図示を省略するが、シール基材テープ１０１には無線タグ回路素子Ｔoの位置に対応してセンサマークが設けられており周知の反射型センサにより該センサマークを検出することにより繰り出し量が制御されている。
【００５４】
図４は、上記高周波回路２１の詳細機能及びその周辺の構成を表す機能ブロック図である。この図４において、高周波回路２１は、上記切り換えスイッチ２０を経て２つの内部アンテナ１４及び外部アンテナ９（以下適宜、装置側アンテナ９，１４と総称する）を介しそれぞれ無線タグ回路素子Ｔoに対して信号を送信する送信部３２と、装置側アンテナ９，１４により受信された無線タグ回路素子Ｔoからの反射波を入力する受信部３３と、送受分離器３４とから構成される。
【００５５】
送信部３２は、制御回路３０からの制御信号に応じ、無線タグ回路素子ＴoのＩＣ回路部１５１の無線タグ情報にアクセスする(この例では読み取りおよび書き込み)ための搬送波を発生させる水晶振動子３５、制御回路３０の制御により所定の周波数の信号を発生させるＰＬＬ（Phase  Locked  Loop）３６、及びＶＣＯ（Voltage  Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を、制御回路３０からの「ＴＸ＿ＰＷＲ」信号によって増幅率を決定し増幅する可変送信アンプ３９とを備えている。そして、上記発生される搬送波は、ＵＨＦ帯、マイクロ波帯、短波帯等の適宜の周波数を用いており、上記送信アンプ３９の出力は、送受分離器３４を介して切り換えスイッチ２０を経て装置側アンテナ９，１４に伝達されて無線タグ回路素子ＴoのＩＣ回路部１５１に供給される。なお、無線タグ情報は上記のように変調した信号に限られず、単なる搬送波のみの場合もある。
【００５６】
受信部３３は、装置側アンテナ９，１４により受信された無線タグ回路素子Ｔoからの反射波と上記発生させられた搬送波とを乗算して復調する受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記装置側アンテナ４，１４により受信された無線タグ回路素子Ｔoからの反射波と上記発生された後に移相器４９で位相を９０°遅らせた搬送波とを乗算する受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００５７】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態では、Ｉ−Ｑ直交復調によって無線タグ回路素子Ｔoからの反射波の復調が行われる。
【００５８】
そして上述したように送受分離器３４、内部アンテナ１４、及び外部アンテナ９に接続されている切り換えスイッチ２０は、例えば、周知の高周波用ＦＥＴやダイオードあるいはリレーを用いたスイッチ回路であり、制御回路３０からの選択信号により内部アンテナ１４、外部アンテナ９のいずれか一つを送受分離器３４に接続するものである。
【００５９】
図５は、上記無線タグ回路素子Ｔoの機能的構成を表す機能ブロック図である。図５において、無線タグ回路素子Ｔoは、画像シール体販売機１側の内部アンテナ１４と外部アンテナ９のそれぞれに対して非接触で信号の送受信を行う上記アンテナ１５２と、このアンテナ１５２に接続された上記ＩＣ回路部１５１とを有している。
【００６０】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００６１】
変復調部１５８は、アンテナ１５２により受信された上記アンテナ１４からの通信信号の復調を行うと共に、上記制御部１５５からの応答信号に基づき、アンテナ１５２が受信した搬送波を変調し、アンテナ１５２より反射波として再送信する。
【００６２】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００６３】
クロック抽出部１５６は受信した信号からクロック成分を抽出して制御部１５５にクロックを抽出するものであり、受信した信号のクロック成分の速度に対応したクロックを制御部１５５に供給する。
【００６４】
図６（ａ）及び図６（ｂ）は、無線タグ回路素子Ｔoを備えたシール基材テープ１０１から、上述のように所定数の無線タグ回路素子Ｔoの書き込み及びそれらに対応する同数のシール本体１０４に印刷が行われ、ハーフカット線Ｌｈにおいて切断が完了して作成された画像シール体の外観の一例を表す図であり、図６（ａ）は上面図、図６（ｂ）は下面図である。
【００６５】
図６（ａ）に示すように、画像シール体Ｓｔは、それぞれ剥離することで分離可能な一つのブランクシールＳｂと所定数（図示する例では４つ）のタグ付き画像シールＳｉとが、一つの剥離紙１０１ｃを共通の台紙として長手方向に直列な配置で一体的に作成されている。各タグ付き画像シールＳｉの上面（表面）には、上記カメラユニット７の撮影により取り込まれて後述する加工・編集処理が施された画像データの画像Ｐ（人物の画像）が印刷される印刷領域Ｒが設けられている。ブランクシールＳｂは、作成時における装置本体２中での搬送方向の上流側、つまり最初に搬出口１６から排出される側に位置しており、他のタグ付き画像シールＳｉと同じ搬送方向長さであって、このブランクシールＳｂにおいてのみ上記印刷領域Ｒが設けられていない（つまり画像データの画像Ｐが印刷されていない）ものとなっている。なお、このブランクシールＳｂの搬送方向長さＬｓ（つまり各タグ付き画像シールＳｉの搬送方向長さ）は、装置本体２における印刷ヘッド１２の印刷開始点とカッタ１５との距離Ｌａと同じ長さとなっている。
【００６６】
また、図６（ｂ）中の破線で示すように各タグ付き画像シールＳｉの中央位置には無線タグ回路素子Ｔoが内包されているが、ブランクシールＳｂにおいては無線タグ回路素子Ｔoが設けられていない。つまり、画像シール体Ｓｔを作成する元の材料であるシール基材テープ１０１（図３参照）には、長手方向に無線タグ回路素子Ｔoが等間隔で配置されているところ、一つの画像シール体Ｓｔにおけるタグ付き画像シールＳｉの枚数おき（この例では４枚おき）に無線タグ回路素子Ｔoが設けられていないものとなっている。
【００６７】
以上において、本実施形態の最も大きな特徴は、複数のタグ付き画像シールがそれぞれ備える無線タグ回路素子からそれぞれに対応する人物情報を取得し、これら複数の人物情報を関連づけた人物相関を形成しデータベース５０に記憶することにある。以下、その詳細を順を追って説明する。
【００６８】
まず、本実施形態の例において、各タグ付き画像シールＳｉに備えられる無線タグ回路素子Ｔoの上記メモリ部１５７に記憶されているデータの構成について説明する。
【００６９】
図７は、無線タグ回路素子Ｔoのメモリ部１５７に記憶されているデータの全体構成の一例を概念的に表す図である。この図７において、タグ付き画像シールの無線タグ回路素子Ｔoに記憶されているデータ（以下、シールデータという）は、大別してタグＩＤとプロフィールデータの２つで構成されている。
【００７０】
そのうちのタグＩＤは、それを記憶している無線タグ回路素子Ｔoそのものの個体を特定可能な識別情報である。このタグＩＤは、上記シール基材テープ１０１の製造時に予め一意的に生成され各無線タグ回路素子Ｔoのメモリ部１５７に消去不能に記憶されたＩＤ（ユニークＩＤ）を使用しても良いし、このユニークＩＤとは別に操作者が適宜に（書き換え不能又は書き換え可能に）書き込みを行ってメモリ部１５７に記憶させたＩＤを使用しても良い。
【００７１】
またプロフィールデータは、後述するように画像中に存在する各被写体人物にそれぞれ対応してデータが格納されるテーブル形式で構成されており、少なくとも各被写体人物個人を特定可能な識別情報（ユーザＩＤ）を備えている。またこの例では、さらに、各被写体人物のニックネームなどの名前データと、各被写体人物の性別データと、各被写体人物の年齢データと、その他の各被写体人物のデータやコメントからなるコメントデータも備えられている。
【００７２】
図８は、上記装置本体２の制御回路３０によって実行される制御手順を表すフローチャートである。なお、硬貨（又は紙幣）の投入などの販売についての手順は省略する。この図８において、所定金額の硬貨等が投入されて販売条件が満たされるとこのフローが開始される。
【００７３】
まずステップＳ１０において、パネル部８ａに制御信号を出力してメニュー画面（特に図示せず）を表示させ、キーボード８ｂからの入力を介して操作者による今回の操作が画像シール体Ｓｔの新規作成であるか否かを判定する。新規作成が選択されている場合、判定が満たされ、次のステップＳ１００へ移り、カメラユニット７での撮影による画像データの取り込みも含めて画像シール体Ｓｔを最初から作成する新規作成処理を行いこのフローを終了する。
【００７４】
一方、上記ステップＳ１０の判定において、新規作成が選択されていない場合、判定が満たされず、ステップＳ２０へ移り、上記ステップＳ１０での選択入力において複数のプロフィールデータの相関を形成するよう選択されているか否かを判定する。相関形成が選択されている場合、判定が満たされ、次のステップＳ２００へ移り、すでに作成されている複数のタグ付き画像シールＳｉの無線タグ回路素子Ｔoからそれぞれのシールデータを読み込んでそれらシールデータのうちのユーザＩＤどうしの相関を形成する相関形成処理を行いこのフローを終了する。
【００７５】
一方、上記ステップＳ２０の判定において、相関形成が選択されていない場合、判定が満たされず、ステップＳ３００へ移り、すでに作成されている一つのタグ付き画像シールＳｉの無線タグ回路素子Ｔoのシールデータを読み込んでそこに含まれるユーザＩＤに関連する人物相関を閲覧する相関閲覧処理を行いこのフローを終了する。
【００７６】
このフローを行うことにより、新規作成処理、相関形成処理、及び相関閲覧処理を選択実行することができる。なお、販売においては上記各処理のそれぞれの装置負荷の大きさに応じて課金金額を異ならせてもよい。
【００７７】
図９は、装置本体２の制御回路３０が上記ステップＳ１００において実行する新規作成処理の詳細手順を表すフローチャートである。この図９において、まずステップＳ１０５において、カメラユニット７に制御信号を出力して被写体人物の撮影を行い原撮影画像データを取り込む。この際、複数回の撮影を行い、そのうちのいずれの撮影で取り込まれた原撮影画像データを採用するかを操作者に選択させるようにしてもよい。
【００７８】
次にステップＳ１１０へ移り、上記ステップＳ１０５で取り込んで採用された原撮影画像データを操作者の好みに応じて適宜加工して合成画像データを作成する画像加工処理を行う。
【００７９】
次にステップＳ５００へ移り、被写体人物のうちで任意に選択した者についてのプロフィールデータを入力するプロフィールデータ入力処理を行う。
【００８０】
次にステップＳ６００へ移り、上記ステップＳ５００で入力されたプロフィールデータのうちのどれを画像シール体Ｓｔの中のいずれのタグ付き画像シールＳｉの無線タグ回路素子Ｔoに記憶させるか割り当てるプロフィール割り当て処理を行う。
【００８１】
次にステップＳ７００へ移り、上記ステップＳ１１０で作成した合成画像データの画像Ｐを、この例における４枚の連続したシール本体１０４の表面にそれぞれ印刷しつつ、それぞれに内包されている無線タグ回路素子Ｔoに対して画像データ及び上記ステップＳ５００で入力された各被写体人物のプロフィールデータを上記ステップＳ６００で設定された割り当てに応じて書き込み、画像シール体Ｓｔを作成する画像シール体作成処理を行う。そしてこのフローを終了する。
【００８２】
図１０は、装置本体２の制御回路３０が上記ステップＳ５００において実行するプロフィール入力処理の詳細手順を表すフローチャートである。この図１０において、まずステップＳ５０５において、プロフィールを入力する人数Ｍをキーボード８ｂを介して操作者に入力させる（表示信号をパネル部８ａに出力して選択肢を表示させるとともに、対応するキーボード８ｂ等からの操作信号を入力する）。なお、この人数Ｍは、画像データ中に存在する被写体人物の全ての人数に限られずにそれより少ない人数で設定すれば足り、少なくとも一人分入力すればよい（Ｍ≧１）。次にステップＳ５１０へ移り、カウンタ変数Ｉを１に初期化した後にステップＳ５１５へ移る。
【００８３】
ステップＳ５１５では、Ｉ番目にプロフィールデータを登録する被写体人物に関するプロフィールデータを、すでに作成されているタグ付き画像シールＳｉの無線タグ回路素子Ｔoから読み込むよう操作者が指示しているか否か判定する（表示信号をパネル部８ａに出力し「既作成シールより読み込み」「新規入力」の選択肢を表示させるとともに、対応するキーボード８ｂ等からの操作信号を入力してこれに基づき判定する）。タグ付き画像シールＳｉの無線タグ回路素子Ｔoから既存のシールデータを読み込むのではなく、操作者が新たに入力するよう選択指示している場合、判定が満たされず、ステップＳ５２０へ移る。
【００８４】
ステップＳ５２０では、Ｉ番目にプロフィールデータを登録する被写体人物のユーザＩＤをキーボード８ｂを介して操作者に入力させる（表示信号をパネル部８ａに出力してユーザＩＤの入力を促す表示を行うとともに、対応するキーボード８ｂからの操作信号を入力する）。なお、この際に入力するユーザＩＤは、各被写体人物がその人物を特定できる一意的な識別情報であり、各被写体人物がこの画像シール販売機１を利用する前にあらかじめ何らかの方法で取得している（例えば、画像シール販売機１において別途行う登録処理、またはその他店舗やサービスセンターにおける登録手続きを経て取得すれば足りる）ものである。
【００８５】
次にステップＳ５２０へ移り、上記ステップＳ５２０でユーザＩＤを入力した被写体人物の名前を名前データとしてキーボード８ｂを介して入力させる（表示信号をパネル部８ａに出力してデータ入力を促す表示を行うとともに、対応するキーボード８ｂからの操作信号を入力する）。次のステップＳ５３０では、同じ被写体人物の性別を性別データとして選択入力させる（表示信号をパネル部８ａに出力して選択肢の表示を行うとともに、対応するキーボード８ｂ等からの操作信号を入力する）。次のステップＳ５３５では、同じ被写体人物の年齢を年齢データとして入力させる（表示信号をパネル部８ａに出力してデータ入力を促す表示を行うとともに、対応するキーボード８ｂからの操作信号を入力する）。次のステップＳ５４０では、同じ被写体人物に関するその他の情報やコメントなどをコメントデータとしてキーボード８ｂを介して入力させる（表示信号をパネル部８ａに出力してデータ入力を促す表示を行うとともに、対応するキーボード８ｂからの操作信号を入力する）。そして次のステップＳ５５０へ移る。
【００８６】
一方、上記ステップＳ５１５の判定において、すでに作成されているタグ付き画像シールＳｉの無線タグ回路素子Ｔoに記憶されている既存のシールデータを入力対象の被写体人物に関するプロフィールデータとして読み込むよう操作者が（キーボード８ｂ等により）指示している場合、判定が満たされ、ステップＳ５４５へ移る。
【００８７】
ステップＳ５４５では、切り換えスイッチ２０（図２参照）に制御信号を出力して高周波回路２１を外部アンテナ９に接続し、外部アンテナ９を介して操作者が掲げたタグ付き画像シールＳｉの無線タグ回路素子Ｔoと無線通信を行い、ユーザＩＤも含めたプロフィールデータを読み取る。この際、複数の人物のプロフィールデータが読み取られた場合には、そのうちの適用する人物のプロフィールデータを操作者に選択指定させるようにしてもよい。そしてステップＳ５５０へ移る。
【００８８】
ステップＳ５５０では、カウンタ変数Ｉが人数Ｍと同じであるか否か、すなわち上記ステップＳ５０５で操作者が設定した人数の被写体人物全員のプロフィールデータが入力されたか否かを判定する。カウンタ変数Ｉが人数Ｍと同じ場合、判定が満たされ、このフローを終了する。一方、カウンタ変数Ｉが人数Ｍと異なる場合、つまりカウンタ変数Ｉが人数Ｍよりまだ少ない場合、判定が満たされず、すなわち設定した人数のプロフィールデータがまだ全部入力されていないものとみなされ、ステップＳ５５５でカウンタ変数Ｉを１増加した後にステップＳ５１５へ戻り同様の手順を繰り返す。
【００８９】
このフローを行うことにより、原撮影画像データ中に存在する被写体人物のうちで操作者が任意に選択した人物にそれぞれ対応するプロフィールデータを作成することができる。
【００９０】
図１１は、装置本体２の制御回路３０が上記ステップＳ６００において実行するプロフィール割り当て処理の詳細手順を表すフローチャートである。この図１１において、まずステップＳ６０５において、カウンタ変数Ｉを１に初期化する。
【００９１】
次にステップＳ６１０へ移り、作成しようとする画像シール体Ｓｔが備えるこの例の４枚のタグ付き画像シールＳｉのうちのＩ枚目に備えられる無線タグ回路素子Ｔoに対しどの被写体人物のプロフィールデータを記憶させるかを操作者に選択指定させる（表示信号をパネル部８ａに出力して選択肢を表示させるとともに、対応するキーボード８ｂ等からの操作信号を入力する）。この際、全員のプロフィールデータをテーブル形式でパネル部８ａに表示させて選択できるようにしてもよい。また、Ｉ枚目のタグ付き画像シールＳｉに対してどの被写体人物のプロフィールデータも記憶させないよう指定人物の人数を０に設定できるようにしてもよい。
【００９２】
次にステップＳ６１５へ移り、上記ステップＳ６１０で選択指定された被写体人物のそれぞれのプロフィールデータをまとめて１つのテーブル形式で作成し、これを画像シール体ＳｔのうちのＩ枚目のタグ付き画像シールＳｉに対応して記憶させるプロフィールデータのテーブルとして設定する。
【００９３】
次にステップＳ６２０へ移り、カウンタ変数Ｉが４であるか否か、すなわち４枚全てのタグ付き画像シールＳｉに対応するプロフィールデータのテーブルが設定されたか否かを判定する。カウンタ変数Ｉが４となっている場合、判定が満たされ、このフローを終了する。一方、カウンタ変数Ｉが４と異なる場合、つまりカウンタ変数Ｉがタグ付き画像シールＳｉの枚数の４よりまだ少ない場合、判定が満たされず、すなわち画像シール体Ｓｔが備えるタグ付き画像シールＳｉの枚数分のプロフィールデータのテーブルがまだ全て作成されていないものとみなされ、ステップＳ６２５でカウンタ変数Ｉを１増加した後にステップＳ６１０へ戻り同様の手順を繰り返す。
【００９４】
このフローを行うことにより、操作者は、上記図１０のプロフィール入力処理で入力した被写体人物のプロフィールデータのうちで、この例における４枚のタグ付き画像シールＳｉそれぞれに対し任意に選択した被写体人物のプロフィールデータを割り当てて４つのプロフィールデータのテーブルを作成することができる。
【００９５】
図１２は、装置本体２の制御回路３０が上記ステップＳ７００において実行する画像シール体作成処理の詳細手順を表すフローチャートである。この図１２において、まずステップＳ７０５において、カウンタ変数Ｉを１に初期化する。
【００９６】
次にステップＳ７１０へ移り、上記図９のフローにおけるステップＳ１１０で合成された合成画像データに基づき、印刷駆動回路２５に出力するための印刷信号を生成する。
【００９７】
次にステップＳ７１５へ移り、カートリッジ駆動回路２４に制御信号を出力し、カートリッジ用モータ２３の駆動力によってテープ送りローラ１０７を回転駆動させる。これにより、シール基材ロール１０２からシール基材テープ１０１が繰り出されテープ送りローラ１０７へ供給される。またこのとき、印刷駆動回路２５に上記ステップＳ７１０で生成した印刷信号を出力し、印刷ヘッド１２を通電して、シール本体１０４のうち所定の印刷領域Ｒに、上記ステップＳ１１０で合成された合成画像データの画像Ｐを印刷させる。
【００９８】
なお、このテープ搬送と印刷が開始される直前の状態としては、ブランクシールＳｂの搬送方向先端、つまり画像シール体Ｓｔ全体の搬送方向の下流側先端はカッタ１５の位置と一致しており（すなわち前回切断されたままの状態）、またそのカッタ１５の位置から搬送方向上流側に画像シール１枚分の長さＬａだけ離間している印刷ヘッド１２の印刷開始点は１枚目のタグ付き画像シールＳｉの搬送方向下流側の先端と一致している。これにより、シール基材テープ１０１の搬送を開始すると同時に１枚目のタグ付き画像シールＳｉの印刷を開始することができる。また、このステップＳ７１５では、印刷駆動回路２５にタグ付き画像シールＳｉ１枚分の合成画像データだけが出力される。
【００９９】
さらにこのステップＳ７１５では、送出ローラ駆動回路２９を介して送出ローラ用モータ２８に制御信号を出力し、送出ローラ１７を回転駆動させる。これにより、前述したようにカッタ１５を通過したシール基材テープ１０１が搬出口１６を介して装置本体２外方向へと搬送される。
【０１００】
次にステップＳ７２０へ移り、シール基材テープ１０１が所定量（例えば、印刷されたばかりのタグ付き画像シールＳｉに備えられている無線タグ回路素子Ｔoが搬送ガイド１９に到達するだけの搬送距離）だけ搬送されたかどうかを判断する。このときの搬送距離判定は、例えば、上記シール基材テープ１０１に設けた適宜の識別用マークを別途設けた公知のテープセンサで検出することにより行えば足りる。シール基材テープ１０１が所定量搬送された場合、判定が満たされ、ステップＳ７２５に移る。
【０１０１】
ステップＳ７２５では、切り換えスイッチ２０に制御信号を出力して高周波回路２１を内部アンテナ１４に接続した後、印刷中（または印刷が完了した直後）のタグ付き画像シールＳｉに備えられている無線タグ回路素子Ｔoに対して内部アンテナ１４を介しシールデータ（画像データ及びプロフィールデータ）を書き込む。このシールデータの書き込み処理は、特に詳しく説明しないが公知の手法を用いて行うものであり、例えば無線タグ回路素子Ｔoに対して書き込むためのメモリ初期化（消去）を初めに行った後、上記シールデータを無線タグ回路素子Ｔoに送信して書き込む。
【０１０２】
なお、このときに書き込むシールデータ中のプロフィールデータとしては、上記ステップＳ６００のプロフィール割り当て処理で当該書き込み対象の無線タグ回路素子Ｔo（Ｉ枚目のタグ付き画像シールＳｉ）に対応して設定されたテーブル形式のプロフィールデータが用いられる。また、このシールデータの書き込み動作自体は所定の短い時間内に行われるが、この後も１枚分の合成画像データの画像Ｐの印刷がまだ完了していない場合はテープ搬送とともに印刷が継続して行われる。
【０１０３】
次にステップＳ７３０へ移り、シール基材テープ１０１のうちこの時点で作成対象としているＩ枚目のタグ付き画像シールＳｉに対応するシール本体１０４の印刷領域Ｒへの印刷がすべて完了しているかどうかを確認した後、ステップＳ７３５へ移る。
【０１０４】
次のステップＳ７３５では、カウンタ変数Ｉが４であるか否か、すなわち４枚全てのタグ付き画像シールＳｉに対して印刷とシールデータの書き込みが完了したか否かを判定する。カウンタ変数Ｉが４と異なる場合、つまりカウンタ変数Ｉがタグ付き画像シールＳｉの枚数の４よりまだ少ない場合、判定が満たされず、すなわち画像シール体Ｓｔが備えるタグ付き画像シールＳｉがまだ全て作成完了していないものとみなされ、ステップＳ７４０でカウンタ変数Ｉを１増加し、ステップＳ７４５で１枚分の合成画像データの印刷を再開した後にステップＳ７２０へ戻り同様の手順を繰り返す。
【０１０５】
一方、上記ステップＳ７３５の判定において、カウンタ変数Ｉが４となっている場合、判定が満たされ、すなわち４枚全てのタグ付き画像シールＳｉの作成が完了したとみなされて、次のステップＳ７５０へ移る。なお、この時点では４枚目のタグ付き画像シールＳｉの搬送方向上流側端部、つまり画像シール体Ｓｔ全体の搬送方向後端は印刷ヘッド１２の印刷開始点に位置している。
【０１０６】
次にステップＳ７５０では、タグ付き画像シールＳｉ４枚分の印刷とシールデータの書き込みを終えたシール基材テープ１０１がさらに所定量（タグ付き画像シールＳｉ１枚分の搬送方向長さＬｓの距離）だけ搬送されたかどうかを判断する。このときの搬送距離判定も、前述のステップＳ７２０と同様、例えばマーキングをテープセンサで検出することにより行えば足りる。判定が満たされた際、その時点で４枚目のタグ付き画像シールＳｉの搬送方向上流側端部がカッタ１５の位置と一致していることになり、次のステップＳ７５５に移る。
【０１０７】
ステップＳ７５５では、カートリッジ駆動回路２４及び送出ローラ駆動回路２９に制御信号を出力し、カートリッジ用モータ２３及び送出ローラ用モータ２８の駆動を停止して、テープ送りローラ１０７、送出ローラ１７の回転を停止する。これにより、シール基材ロール１０２からのシール基材テープ１０１の繰り出し及び送出ローラ１７による画像シール体Ｓｔの搬送が停止する。
【０１０８】
その後、ステップＳ７６０でソレノイド駆動回路２７に制御信号を出力してソレノイド２６を駆動し、カッタ１５によって画像シール体Ｓｔの切断を行う。前述したように、この時点で、４枚目のタグ付き画像シールＳｉの搬送方向上流側端部がカッタ１５の位置と一致しており、このカッタ１５の切断によって、１枚のブランクシールＳｂと４枚のタグ付き画像シールＳｉを一体に備えた画像シール体Ｓｔが生成される。
【０１０９】
その後、ステップＳ７６５に移り、送出ローラ駆動回路２９に制御信号を出力し、送出ローラ用モータ２８の駆動を再開して、排出センサ１８が画像シール体Ｓｔの存在を検出しなくなるまで送出ローラ１７を回転させる。これにより、送出ローラ１７による搬送が再開されて上記ステップＳ７６０で生成された画像シール体Ｓｔが搬出口１６へ向かって搬送され、搬出口１６から取り出し口１０へと排出される。
【０１１０】
このフローを行うことにより、各タグ付き画像シールＳｉに共通する合成画像データが印刷されてそれぞれの無線タグ回路素子Ｔoごとに設定されたプロフィールデータが書き込まれた画像シール体Ｓｔを作成することができる。
【０１１１】
図１３は、装置本体２の制御回路３０が上記ステップＳ２００において実行する相関形成処理の詳細手順を表すフローチャートである。この図１３において、まずステップＳ２０５において、切り換えスイッチ２０に制御信号を出力して高波回路２１を外部アンテナ９に接続した後、例えば２人の操作者がそれぞれ外部アンテナ９の前にかかげた（近接のみならず接触させるようにしても良い）タグ付き画像シールＳｉ（作成済み）に備えられている無線タグ回路素子Ｔoから、当該外部アンテナ９を介してシールデータ（タグＩＤ及びプロフィールデータ）を読み取る。このシールデータの読み取り処理は、特に詳しく説明しないが公知の手法を用いて行うものであり、互いに所定の時間範囲内（例えばほぼ同時、数秒以内、１分以内等）に同じ外部アクセスエリアＡｅ内で読み込むことができた場合にだけ受け付けるようにする。これにより、複数のプロフィールデータの取得タイミングが当該所定時間範囲内であることを契機として人物相関を形成することができ、その後に所定時間が経過してから誤って他の関係のない無線タグ回路素子Ｔoが外部アクセスエリアＡｅ内に位置した場合でも相関形成から外すことができる。
【０１１２】
次にステップＳ２１０へ移り、上記ステップＳ２０５で読み込んだ２つのプロフィールデータのうちの各ユーザＩＤどうしの間における相関親密値（重み付け情報）をデータベース５０から取得し、その時点で行った相関形成処理を考慮して相関親密値を再計算する。
【０１１３】
この相関親密値は、上記取得された２つのユーザＩＤ間において相関形成処理が行われた頻度を表すものであり、ここでは特に詳しく説明しないが、例えば、相関形成を行った回数が多いほど、またそれらの相関形成を行った間隔期間が短いほど相関親密値が高くなるよう計算する。つまり、この相関親密値が高いほど（相関形成処理の頻度が高いほど）２つのユーザＩＤにそれぞれ対応する人物どうしが親密であると捉えることができる。
【０１１４】
逆に、相関親密値が０（初期値）であるユーザＩＤの組み合わせのそれぞれの人物どうしは過去にまだ一度も相関形成を行っていないことになり、このステップＳ２１０でデータベース５０から０の相関親密値を取得した場合には、新規で相関形成を行った旨をパネル部８ａに表示するようにしてもよい。
【０１１５】
次にステップＳ２２０へ移り、パネル部８ａに制御信号（表示信号）を出力して上記ステップＳ２１５で再計算（または新規計算）した相関親密値を表示する。
【０１１６】
次のステップＳ２２０では、相関親密値の高さに応じて当該２人の人物の間の親密度を判定し、パネル部８ａに表示する。この際、相関親密値（親密度）が所定の値以上である場合、高い親密度を認定した特典として無料で当該２人の画像シール体を新規に作成できるようなサービスを付与する（少なくとも一部の課金を行わない、既に硬貨が投入されていればその少なくとも一部を返却する等）してもよい。
【０１１７】
次にステップＳ２２５へ移り、上記ステップＳ２１５で得られた新しい相関親密値をデータベース５０に格納（記憶処理）してこのフローを終了する。
【０１１８】
このフローを行うことにより、２人の人物によるお互いの相関形成を行って相関親密値を増加させ（または新規で相関を形成して相関親密値を得る）データベース５０に蓄積することができる。そして図１４に示すように、データベースに５０は、例えば、登録されている全てのユーザＩＤ（図中では例としてＡ００１〜Ａ００５）どうしが対となった全ての組み合わせに対応する相関親密値が格納されている。
【０１１９】
図１５は、装置本体２の制御回路３０が上記ステップＳ３００において実行する相関閲覧処理の詳細手順を表すフローチャートである。この図１５において、まずステップＳ３０５において、閲覧を希望する一人の操作者からキーボード８ｂを介してその操作者のユーザＩＤを入力させる（表示信号をパネル部８ａに出力してデータ入力を促す表示を行うとともに、対応するキーボード８ｂからの操作信号を入力する）。なお、このときすでに作成されているタグ付き画像シールＳｉの無線タグ回路素子Ｔoから外部アンテナ９を介してプロフィールデータを読み込み、そこからユーザＩＤを取得するようにしてもよい。この際に複数のプロフィールデータが読み取られた場合には、そのうちの操作者本人のプロフィールデータを操作者に選択指定させるようにしてもよい。この場合、個人情報保護の観点から、パスワードチェックを設けるなどによってセキュリティ処理を行うようにするとよい。
【０１２０】
次にステップＳ３１０へ移り、操作者のユーザＩＤに関連して人物相関が形成されている（つまり相関親密度が１以上となっている）ユーザＩＤとこれらユーザＩＤとの間の相関親密度をデータベース５０から取得し、パネル部８ａに制御信号を出力して当該人物に係わる少なくとも１つの相関を表示させる（後述の図１６で示す例を参照）。
【０１２１】
次にステップＳ３１５へ移り、操作者本人が相関を形成している人物の人数に応じた各種の特典を付与する手順を行い、このフローを終了する。この特典は、画像シール体販売機１を高い頻度で利用してもらったことによるサービスの一環として行うものであり、例えば上記図１４で示すＡ００１のユーザＩＤの操作者（処理対象人物）のように相関を形成している人物が多い利用者に対しては、その人物の数に応じて次回の利用の際に料金の割り引きが適用される権利を付与したりすればよい。
【０１２２】
具体的な例としては、操作者のタグ付き画像シールＳｉを外部アンテナ９のアクセスエリアＡｅ内に位置させるように指示し、無線タグ回路素子Ｔoのメモリ部１５７にその権利を示す情報（サービス提供情報）を書き込む等によって画像シール体販売機１を次回利用する際に反映させるようにする。またこの特典として所定の店舗に有効な複数のクーポン券（電子クーポンや紙葉類クーポン）を発行するなども有効であり、この場合には相関を多く持つ人物、つまり人脈や交流関係が広い人物に対してクーポン券を発行することになるため、その店舗の広い宣伝効果を見込めることができる。
【０１２３】
図１６は、上記図１５のステップＳ３１０においてパネル部に、複数の人物間に形成されている多数の相関を表示させた一例を表す図である。この図１６に示す例においては、人物相関は図形形式で表されており、二重丸で示す操作者の周りには５人の相関人物（Ａ〜Ｅさん）を表す５つの丸が直線（＝１つの相関）で結ばれている。そしてこれら丸どうし（人物どうし）を結ぶ直線（相関）は互いの間の相関親密値に応じた太さで描かれている。この例では、操作者（図中の「あなた」）は最も親密度の高いＡさんと最も太い線（比較的親密な相関）で結ばれており、最も親密度の低いＣさんとは最も細い線（比較的疎遠な相関）で結ばれている。
【０１２４】
さらに、操作者と相関を持つ人物の一人であるＥさんの丸の周りにもＥさんと相関を持つ人物（「あなた」以外のＦ〜Ｉさん）を表す４つ丸が直線で結ばれている。そのうちの一つのＩさんの丸からまた相関を持つＪさんの丸が結ばれており、そのＪさんの丸の周りには相関を持つ４人の人物（Ｋ〜Ｎさん）の丸が結ばれている。そしてこれらＪさんの周りの人物（Ｋ〜Ｎさん）からはたとえ他に相関を持つ人物がいた場合でも表示しないようにしている。すなわち、この図１６に示す例では、操作者である「あなた」から４つの相関連結体までの人物（Ｋ〜Ｎさん）までが表示されている。なお、図示するように各相関人物の名前（ニックネームなど）を表示させるためには、上記図１４に示した相関親密値テーブルにおいて各ユーザＩＤに対応させて人物の名前もデータベース５０に記憶させておけばよい。
【０１２５】
なお、このとき、「あなた」がみることができる友人相関をあくまで「あなた」に直接関係する友人範囲、すなわち「あなた」自身とＡさんからＥさんまでに限定するようにしてもよい（Ｆ〜Ｌさんは表示しない）。あるいは、Ｅさん側の友人であるＦ〜Ｌさんは別の態様の表示（例えば括弧書きにする、これら全員又は一部メンバーの写真を表示しない等）としてもよい。若しくは、Ｅさん側の友人であるＦ〜ＬさんはＥさんが許可した場合のみ（あるいはＥさんが指定した人物のみ、若しくはＥさんが指定した別の態様で）表示するようにしてもよい。
【０１２６】
以上において、図１３のフローで示す相関形成処理におけるステップＳ２０５の手順が、無線タグ回路素子Ｔoに記憶された、対応する人物に係わるプロフィールデータ（ユーザＩＤ）を、外部アンテナ９及び高周波回路２１を介し取得する情報取得手段として機能する。
【０１２７】
また、図１３のフローで示す相関形成処理におけるステップＳ２１０の手順が、ステップＳ２０５の手順により取得された複数の人物のプロフィールデータを関連づけて人物相関を形成する相関形成手段として機能する。
【０１２８】
また、図１３のフローで示す相関形成処理におけるステップＳ２２５の手順が、ステップＳ２１０の手順で形成された人物相関を、書き込みと読み出しが可能なデータベース５０へ書き込む記憶処理手段として機能する。
【０１２９】
また、図１３のフローで示す相関形成処理におけるステップＳ２１０の手順が、ステップＳ２０５の手順により複数の人物のプロフィールデータが繰り返し取得された場合、その頻度に応じて、同じステップＳ２１０の手順で形成された当該複数の人物同士の人物相関に相関親密値を付加する重み付け付加手段として機能する。
【０１３０】
また、図１５のフローで示す相関閲覧処理におけるステップＳ３１０の手順が、既に形成されている人物相関を表示するためのパネル部８ａに出力する制御信号を生成する表示信号生成手段として機能する。なお、このステップＳ３１０を含め、各ステップにおける表示信号を装置１外に別途設けた表示手段に出力し、当該装置外表示手段に表示させるようにしてもよい。
【０１３１】
また、図１５のフローで示す相関閲覧処理におけるステップＳ３１５の手順が、処理対象人物である操作者と人物相関を介し関連づけられる人物の数に応じて、当該操作者に特典の情報を付加するサービス付加手段として機能する。
【０１３２】
以上説明したように、本実施形態においては、外部アンテナ９及び高周波回路２１を介し図１３のフローで示す相関形成処理におけるステップＳ２０５の手順で複数の人物のプロフィールデータ（ユーザＩＤ）が取得された場合、ステップＳ２１０の手順でその複数の人物情報を関連づけた人物相関が形成される。具体的には、複数の人物がそれぞれ所持するタグ付き画像シールを提示することで、対応するプロフィールデータが各タグ付き画像シールＳｉの無線タグ回路素子Ｔoから外部アンテナ９及び高周波回路２１を介し図１３のフローで示す相関形成処理におけるステップＳ２０５の手順で取得され、それら複数の人物の人物相関をステップＳ２１０の手順で形成する。
【０１３３】
そして、そのように形成された人物相関がステップＳ２２５の手順でデータベース５０へと書き込まれ、複数の人物同士人脈や交友関係のネットワークを表す複数の人物相関の連結体として記憶されることにより、当該人物相関を用いた種々の情報処理・サービス提供等の活用の可能性が広がるので、装置利用者側・装置設置者側双方にとって利便性を向上することができる。
【０１３４】
また、本実施形態では特に、操作者を撮影するカメラユニット７と、このカメラユニット７で撮影した操作者の画像を印刷しタグ付き画像シールＳｉを作成するための印刷ヘッド１２とを有していることにより、操作者の撮影画像を備えたタグ付き画像シールＳｉを作成でき、上記のようにその作成したタグ付き画像シールＳｉの無線タグ回路素子Ｔoに記憶されたプロフィールデータを用いて、人物相関を形成することができる。
【０１３５】
また、本実施形態では特に、図１３のフローで示す相関形成処理において、ステップＳ３０５の手順を介し複数の人物のプロフィールデータが新たに取得された場合、既にそれら複数の人物それぞれに関し形成された過去の人物相関に加えて、当該複数の人物同士の人物相関を形成することにより、既に形成された人物相関に加える形で、新しい人物相関を形成することができるので、多人数の各人物同士の人脈や交友関係の情報をネットワーク化して蓄積することができる。
【０１３６】
また、本実施形態では特に、相関形成を行う頻度に応じた相関親密値の付加を行うことにより、その相関親密値を利用して、たとえば図１５のフローで示す相関閲覧処理におけるステップＳ３１０の手順でパネル部８ａの表示において頻度が高い場合には人物を表す丸どうしを結ぶ表示線を太くし、頻度が低い場合には表示線をだんだん細くし最後は消滅させる等の処理を行ったり（図１６参照）、あるいは頻度に応じて各種サービスや情報提供の内容・程度に差をつける等、きめ細かい利用を行うことができる。
【０１３７】
また、本実施形態では特に、図１５のフローで示す相関閲覧処理におけるステップＳ３１０の手順で既に形成されている人物相関を表示することにより、既に形作られた人脈や交友関係のネットワークをパネル部で表示し、利用者に視覚的に認識させることができる。
【０１３８】
また、本実施形態では特に、処理対象人物である操作者と人物相関を介し関連づけられる人物の数に応じて、当該操作者に特典を与える情報を付加することにより、例えば人脈や交友関係が広く豊富で、関連づけられる人数の多い人物ほど、割引等の所定のサービスを受けることができるようにすることができる。
【０１３９】
なお、図１３のフローで示す相関形成処理におけるステップＳ２１０の手順で、複数の人物同士の人物相関が新たに形成された場合、当該複数の人物のいずれかに対し既に形成された少なくとも１つの相関の連結体（前述のように４つの連結体までとしてもよいし、これより小さい又はこれより大きい適宜の値に設定してもよい）を介し関連づけられる被関連人物（例えば図１６に示した「あなた」を含むＡ〜Ｋさん）に、例えばメールなどにより新たに形成された人物相関を自動的に報知してもよい。このステップＳ２１０の手順が、報知情報生成手段として機能する。これにより既存の人脈や交友関係のネットワークに新たに新規な人物が加わったことを、当該ネットワークの構成員に知らせることができる。
【０１４０】
また、上記ステップＳ２１０の手順で、この例の報知のメールを受け取る被関連人物を関連づけるための連結体を形成する人物相関の数（つまり新たに加わる新規な人物からの相関の連結数）の大小に応じて、報知メールを送る（送り方に差をつける）ようにしてもよい。これにより、既存の人脈や交友関係のネットワークに新たに新規な人物が加わったとき、当該新規な人物に対し比較的関連付けが近い（又は関連付けが深い）間柄の被関連人物にのみ報知を行う等が可能となる。また逆に、被関連人物側から、関連づけが遠い（又は関連づけが浅い）間柄の新規な人物の加入については報知をしないようにする（あるいは報知を拒否する拒否モード等を設ける）こともできる。
【０１４１】
また、上記ステップＳ２１０の手順で行うような相関親密値の再計算を所定時間間隔（例えば、毎日、数日ごと、一週間ごと、毎月等）ごとに行い、相関親密値を更新処理してもよい（更新処理手段）。このように所定時間間隔毎に相関親密値を更新処理することにより、頻度に応じた相関親密値の生成を精度よく確実に行うことができる。
【０１４２】
また、相関を消滅させることを含む相関変更のために専用の画像シール（又はこれに類するカード等でも良い）を別途設けておき（例えば画像シール体販売機１で作成可能としてもよい）、外部アンテナ９及び高周波回路２１を介してその専用の画像シール等に備えられた無線タグ回路素子と情報送受信が行われた場合には、過去に形成された人物相関を変更（消滅を含む）処理できるようにしてもよい（変更処理手段）。これにより、何らかの事情で一旦形成された人物相関を変更・消滅させたい場合に、相関変更用の無線タグ回路素子を提示し外部アンテナ９及び高周波回路２１を介して情報送受信を行わせることで、当該相関の変更・消滅を実行することができる。
【０１４３】
また、本実施形態では一つのタグ付き画像シールの無線タグ回路素子Ｔoにおいて対応する一つのタグＩＤとともに複数のプロフィールデータ（複数のユーザＩＤ）を記憶させる例を示したが、本発明はこれに限られず、例えば一つのタグ付き画像シールＳｉの無線タグ回路素子Ｔoにおいて一つのタグＩＤだけを記憶させるようにしてもよい。この場合、タグＩＤとユーザＩＤとが一対一に対応することとなる。
【０１４４】
また、以上においては、移動中のシール基材テープ１０１に対して無線タグ情報（シールデータ、タグＩＤ）の書き込み・読み取りや印刷を行う例を示したが、これに限られず、シール基材テープ１０１等を所定位置で停止させて（さらに読み取り・書き込みについては所定の搬送ガイド１９にて保持した状態としてもよい）上記印刷や読み取り・書き込みを行うようにしてもよい。
【０１４５】
また、以上において、印刷及び無線タグ回路素子Ｔoへのアクセス（読み取り又は書き込み）の終了したシール基材用テープ１１０をカッタ１５で切断して画像シール体Ｓｔを作成した場合を例にとって説明したが、これに限られない。すなわち、シール基材ロール１０２から繰り出されるシール基材テープ１０１上にシール本体１０４が上記ハーフカット線Ｌｈを介して連続配置されているような場合には、カッタ１５で切断しなくても、シール基材テープ１０１が搬出口１６から排出されてきた後にタグ付き画像シールＳｉ（アクセス済みの無線タグ回路素子Ｔoが備えられかつ操作者画像Ｐが印刷されたもの）のみをテープ（剥離紙）から剥がしてタグ付き画像シールＳｉを販売するようにしても良く、本発明はこのようなものに対しても適用できる。なお、ハーフカット線Ｌｈは必須ではなく、操作者が自らハサミなどで切断するようにしてもよい。
【０１４６】
さらには備えるシール本体１０４の大きさや枚数が異なる各種のシール基材テープ１０１やタグシートを操作者が別途購入しておき、それらを装置本体２外より１枚ずつ所定のフィーダ機構によって移送し装置本体２内へ供給する構成も考えられる。この場合も同様の効果を得る。
【０１４７】
また、上記実施形態では、タグＩＤやユーザＩＤを記憶する無線タグ回路素子Ｔoをタグ付き画像シールＳｉに設けた構成としていたが、これに限られず、例えば操作者が他の人物に頒布する名刺などに無線タグ回路素子Ｔoを設けてもよいし、また操作者が所有する携帯電話に無線タグ回路素子Ｔoと同等の機能を持たせてタグＩＤやユーザＩＤを含むプロフィールデータを記憶させてもよい。
【０１４８】
さらに、操作者が所有する上記携帯電話に本発明の無線タグ情報読み取り装置と同等の機能を持たせることで、無線タグ回路素子Ｔoから上記無線タグ情報を読み取ることができるとともに、無線通信を介した一般電話回線を通信ネットワークＮＷとみなして他所に備えてあるデータベース５０と情報を送受することができる。すなわち、本発明の無線読み取り装置を個人レベルで携帯して、時間と場所を選ばずにすぐに相関の形成や閲覧を行うことが可能となる。
【０１４９】
また、以上既に述べた以外にも、上記実施形態や各変形例による手法を適宜組み合わせて利用しても良い。
【０１５０】
その他、一々例示はしないが、本発明は、その趣旨を逸脱しない範囲内において、種々の変更が加えられて実施されるものである。
【図面の簡単な説明】
【０１５１】
【図１】本発明の一実施形態の画像シール作成装置が適用される画像シール体販売機の外観を表す斜視図である。
【図２】装置本体の詳細構造を表す概念的構成図である。
【図３】カートリッジの詳細構造を説明するための説明図である。
【図４】高周波回路の詳細機能及びその周辺の構成を表す機能ブロック図である。
【図５】無線タグ回路素子の機能的構成を表す機能ブロック図である。
【図６】無線タグ回路素子を備えて印刷が行われハーフカット線において切断が完了して作成された画像シール体の外観の一例を表す上面図及び下面図である。
【図７】無線タグ回路素子のメモリ部に記憶させるデータの全体構成の一例を概念的に表す図である。
【図８】装置本体の制御回路によって実行される制御手順を表すフローチャートである。
【図９】装置本体の制御回路がステップＳ１００において実行する新規作成処理の詳細手順を表すフローチャートである。
【図１０】装置本体の制御回路がステップＳ５００において実行するプロフィール入力処理の詳細手順を表すフローチャートである。
【図１１】装置本体の制御回路が上記ステップＳ６００において実行するプロフィール割り当て処理の詳細手順を表すフローチャートである。
【図１２】装置本体の制御回路がステップＳ７００において実行する画像シール体作成処理の詳細手順を表すフローチャートである。
【図１３】装置本体の制御回路がステップＳ２００において実行する相関形成処理の詳細手順を表すフローチャートである。
【図１４】相関親密値テーブルの一例を概念的に表す図である。
【図１５】装置本体の制御回路がステップＳ３００において実行する相関閲覧処理の詳細手順を表すフローチャートである。
【図１６】パネル部に人物相関を表示させた一例を表す図である。
【符号の説明】
【０１５２】
１                画像シール体販売機（無線タグ情報読み取り装置）
２                装置本体
７                カメラユニット（撮影手段）
８                コンソール部
８ａ              パネル部
８ｂ              キーボード
９                外部アンテナ（送受信手段）
１２              印刷ヘッド（画像形成手段）
１３              テープ送りローラ駆動軸（搬送手段）
１４              内部アンテナ（送受信手段）
２０              切り換えスイッチ
２１              高周波回路（送受信手段）
２２              信号処理回路
３０              制御回路
５０              データベース
１００            カートリッジ
Ｓｉ              タグ付き画像シール
Ｓｔ              画像シール体
Ｓｂ              ブランクシール
Ｐ                操作者画像
ＮＷ              通信ネットワーク
【図１】
2008033832.tif 000003
【図２】
2008033832.tif 000004
【図３】
2008033832.tif 000005
【図４】
2008033832.tif 000006
【図５】
2008033832.tif 000007
【図６】
2008033832.tif 000008
【図７】
2008033832.tif 000009
【図８】
2008033832.tif 000010
【図９】
2008033832.tif 000011
【図１０】
2008033832.tif 000012
【図１１】
2008033832.tif 000013
【図１２】
2008033832.tif 000014
【図１３】
2008033832.tif 000015
【図１４】
2008033832.tif 000016
【図１５】
2008033832.tif 000017
【図１６】
2008033832.tif 000018